(57)【要約】【課題】帳票に非接触ＩＣタグを設け、その非接触ＩＣタグと情報の交信を可能とし、文字認識処理された帳票に記載された情報などを非接触ＩＣタグに記憶させ、その情報に基づいて、搬送処理や分配された帳票の管理を行うことで信頼性のある帳票処理を行うことができる帳票読取装置および帳票読取方法を提供すること目的とする。【解決手段】読み取り部２２の帳票搬送方向下流側にリーダライタ２４を設置することで、文字認識された情報に基づく所定の情報を帳票Ｗに貼付された非接触ＩＣタグ４０に書き込むことができる。これによって、例えば、帳票Ｗをバッチ毎に管理するような場合に、バッチ毎の情報を容易に得ることができ、さらに管理を簡便化することができる。【選択図】図１
2006106877.tif 000002
【特許請求の範囲】
【請求項１】
帳票に記入された文字情報を光学的に読み取って文字認識する文字読取認識手段と、
前記帳票に貼付された非接触ＩＣチップと交信可能であり、少なくとも、前記文字認識された情報に基づく所定の情報を前記非接触ＩＣチップに書き込む第１の情報交信手段と
を具備することを特徴とする帳票読取装置。
【請求項２】
前記第１の情報交信手段は、前記文字読取認識手段の文字情報を光学的に読み取る読み取り部よりも帳票搬送方向下流側に設置されていることを特徴とする請求項１記載の帳票読取装置。
【請求項３】
前記読み取り部よりも帳票搬送方向上流側に設置され、前記非接触ＩＣチップと交信可能である第２の情報交信手段をさらに具備することを特徴とする請求項２記載の帳票読取装置。
【請求項４】
前記読み取り部と前記第２の情報交信手段との間に設置され、前記帳票の厚さを検知する厚さ検知手段をさらに具備し、
前記厚さ検知手段からの検知結果と、前記第２の情報交信手段によって前記非接触ＩＣチップから読み込まれた前記帳票の仕様情報に基づいて、前記帳票の搬送異常を検知することを特徴とする請求項３記載の帳票読取装置。
【請求項５】
前記帳票を搬送する所定のローラに、前記帳票に対して押圧力を可変可能に付与する押圧力負荷部をさらに具備し、
前記第２の情報交信手段によって前記非接触ＩＣチップから読み込まれた前記帳票の仕様情報に基づいて、前記押圧力負荷部によって付与される押圧力、および／または所定のローラの回転速度を制御することを特徴とする請求項３または４記載の帳票読取装置。
【請求項６】
前記帳票が集積される各集積部に前記帳票を導くため搬送路に設置された各切替誘導部の帳票搬送方向上流側に、前記非接触ＩＣチップと交信可能な第３の情報交信手段をさらに具備することを特徴とする請求項１乃至５のいずれか１項記載の帳票読取装置。
【請求項７】
前記各切替誘導部が、第３の情報交信手段によって前記帳票から読み込まれた情報に基づいて制御されることを特徴とする請求項６記載の帳票読取装置。
【請求項８】
前記情報交信手段は、前記帳票が搬送される搬送路において、前記帳票が搬送される搬送方向に対して垂直方向の全域にわたって交信可能に設置されていることを特徴とする請求項１乃至７のいずれか１項記載の帳票読取装置。
【請求項９】
前記情報交信手段の周囲および前記情報交信手段と対向する搬送路の領域は、非金属で形成されていることを特徴とする請求項１乃至８のいずれか１項記載の帳票読取装置。
【請求項１０】
帳票に記入された文字を認識する文字読取認識手段と、前記帳票に貼付された非接触ＩＣチップと交信可能な第１の情報交信手段とを備える帳票読取装置における帳票読取方法であって、
前記文字読取認識手段が、帳票に記入された文字情報を光学的に読み取って文字認識する文字読取認識ステップと、
前記第１の情報交信手段が、少なくとも、前記文字認識された情報に基づく所定の情報を前記帳票に貼付された非接触ＩＣチップに書き込む第１の情報交信ステップと
を具備することを特徴とする帳票読取方法。
【請求項１１】
前記帳票の厚さを検知する厚さ検知手段からの検知結果と、前記文字読取認識手段の文字情報を光学的に読み取る読み取り部よりも帳票搬送方向上流側に設置された第２の情報交信手段によって前記非接触ＩＣチップから読み込まれた前記帳票の仕様情報と、に基づいて、前記帳票の搬送異常を検知する搬送異常検知ステップをさらに具備することを特徴とする請求項１０記載の帳票読取方法。
【請求項１２】
前記第２の情報交信手段によって前記非接触ＩＣチップから読み込まれた前記帳票の仕様情報に基づいて、前記帳票を搬送する所定のローラに設けられ前記帳票に対して押圧力を可変可能に付与する押圧力負荷部によって付与される押圧力、および／または所定のローラの回転速度を制御する押圧力回転速度制御ステップをさらに具備することを特徴とする請求項１１記載の帳票読取方法。
【請求項１３】
前記帳票が集積される各集積部に前記帳票を導くため搬送路に設置された各切替誘導部の帳票搬送方向上流側に設置された第３の情報交信手段によって前記帳票から読み込まれた情報に基づいて、前記各切替誘導部を制御する切替誘導部制御ステップをさらに具備することを特徴とする請求項１０乃至１２のいずれか１項記載の帳票読取方法。
【発明の詳細な説明】
【技術分野】
【０００１】
本発明は、帳票を処理する業務に用いられる帳票読取装置および帳票読取方法において、特に、電磁波を媒体として非接触に交信するRFID（Radio Frequency Identification）機能を備えた帳票読取装置および帳票読取方法に関する。
【背景技術】
【０００２】
従来の帳票読取装置では、帳票の文字枠の位置を定規で計測し、数値を入力したり、帳票をスキャナなどで読み取り、イメージデータから文字枠の位置情報を自動生成などすることにより、アナログデータをデジタル化してレイアウトデータを作成し、その情報を予め登録しなければならなかった。また、この従来の帳票読取装置では、読み取る帳票の種類を予め選択する必要があり、特に、多種類の帳票を読み取る場合には、各種類ごとに選択を行わなければならなかった。
【０００３】
そこで、上記した帳票読取装置における読み取り負荷を解消するため、帳票に、予めレイアウトデータの情報を有するバーコードや非接触ＩＣタグを設け、その情報を読み取ることにより、レイアウト形式を判定し処理を行う帳票読取装置が開示されている（例えば、特許文献１参照。）。
【特許文献１】特開２００３−１５７４０７号公報
【発明の開示】
【発明が解決しようとする課題】
【０００４】
しかしながら、上記開示された帳票読取装置は、レイアウト情報を読み取り、それに基づいて帳票読取処理を行うものであり、例えば、文字認識処理された帳票に記載された情報を、帳票に設けられた非接触ＩＣタグなどに記憶したり、その記憶した情報に基づいて、帳票の搬送制御などを行うものではなかった。
【０００５】
そこで、本発明は、帳票に非接触ＩＣタグを設け、その非接触ＩＣタグと情報の交信を可能とし、文字認識処理された帳票に記載された情報などを非接触ＩＣタグに記憶させ、その情報に基づいて、搬送処理や分配された帳票の管理を行うことで信頼性のある帳票処理を行うことができる帳票読取装置および帳票読取方法を提供すること目的とする。
【課題を解決するための手段】
【０００６】
上記目的を達成するために、本発明の帳票読取装置は、帳票に記入された文字情報を光学的に読み取って文字認識する文字読取認識手段と、前記帳票に貼付された非接触ＩＣチップと交信可能であり、少なくとも、前記文字認識された情報に基づく所定の情報を前記非接触ＩＣチップに書き込む第１の情報交信手段とを具備することを特徴とする。
【０００７】
本発明の帳票読取方法は、帳票に記入された文字を認識する文字読取認識手段と、前記帳票に貼付された非接触ＩＣチップと交信可能な第１の情報交信手段とを備える帳票読取装置における帳票読取方法であって、前記文字読取認識手段が、帳票に記入された文字情報を光学的に読み取って文字認識する文字読取認識ステップと、前記第１の情報交信手段が、少なくとも、前記文字認識された情報に基づく所定の情報を前記帳票に貼付された非接触ＩＣチップに書き込む第１の情報交信ステップとを具備することを特徴とする。
【０００８】
この帳票読取装置および帳票読取方法によれば、文字認識された情報に基づく所定の情報を帳票に貼付された非接触ＩＣタグに書き込むことができるので、帳票をバッチ毎に管理するような場合に、バッチ毎の情報を容易に得ることができ、さらに管理を簡便化することができる。さらに、帳票の区分けすべき種類が、区分けされる集積部の数よりも多い場合に、文字認識された情報に基づいて、帳票の非接触ＩＣタグに第１の情報交信手段によって、所定の区分け情報などを初回の処理で書き込み、区分けされる集積部がなく、所定の集積部に収容された帳票に対する２回目以降の処理では、文字認識処理を行わずに、非接触ＩＣタグに書き込まれた情報に基づいて、帳票を所定の集積部に導くことができるので区分け処理を早く行うことができる。
【発明の効果】
【０００９】
本発明の帳票読取装置および帳票読取方法によれば、帳票に非接触ＩＣタグを設け、その非接触ＩＣタグと情報の交信を可能とし、文字認識処理された帳票に記載された情報などを非接触ＩＣタグに記憶させ、その情報に基づいて、搬送処理や分配された帳票の管理を行うことで信頼性のある帳票処理を行うことができる。
【発明を実施するための最良の形態】
【００１０】
以下、本発明の実施の形態について図面を参照して説明する。
【００１１】
（第１の実施の形態）
図１は、第１の実施の形態の帳票読取装置１０の構成を概要を示す図である。また、図２には、非接触ＩＣタグ４０が貼付された帳票Ｗの正面図の一例が示されている。
【００１２】
図１に示すように、帳票読取装置１０は、ホッパテーブル１１と、フィードローラ１２と、分離ローラ１３と、駆動ローラ１４と、ピンチローラ１５と、搬送ガイド１６と、振分部１７と、ゲート部１８と、スタッカ１９とを備えている。また、帳票読取装置１０は、帳票Ｗの搬送路の上流側から順に所定の間隔をおいて、重送（二重送り）検知部２１と、読み取り部２２と、印字部２３と、リーダライタ２４とを備えている。さらに、帳票読取装置１０は、制御部３０を有し、この制御部３０は、重送検知部２１、読み取り部２２、印字部２３、リーダライタ２４、ホッパテーブル１１を駆動する駆動部（図示しない）、各ローラ１２、１３、１４を回転させる回転駆動部（図示しない）、振分部１７やゲート部１８を駆動する駆動部（図示しない）などと電気的に接続され、これらの各構成部を制御している。
【００１３】
なお、図１において、制御部３０と各構成部を電気的に接続する接続線は、図の明記のため主な接続線のみ表記して、他は省略している。また、ここでは、各構成部と制御部３０が有線で電気的に接続された一例が示されているが、各構成部と制御部３０との情報を無線で交信する構成を含んでもよい。
【００１４】
次に、主な構成部について説明する。
帳票Ｗは、図２に示すように、例えば、受付日、氏名、住所などの記載欄が設けられた帳票の所定の位置に非接触ＩＣタグ４０を貼付して構成されている。この非接触ＩＣタグ４０は、後に詳細に構成を説明するが、ＩＣチップと、そのＩＣチップを取り巻くアンテナ部とを有する非接触型の情報記憶媒体であり、アンテナ部を介してＩＣチップに対して情報の読み書きをすることができる。
【００１５】
ホッパテーブル１１は、非接触ＩＣタグ４０が貼付された帳票Ｗを積層配置するテーブルであり、積層配置された帳票Ｗの残量によって上下方向の移動が可能である。
【００１６】
フィードローラ１２は、ホッパテーブル１１上に積層配置された帳票Ｗの表面（上面）に摺接してこの帳票Ｗを装置内部に取込むものであり、分離ローラ１３は、フィードローラ１２によって装置内部に取込まれた帳票Ｗの裏面（下面）に接触し、フィードローラ１２と協働して帳票Ｗを一枚ずつ分離するものである。
【００１７】
駆動ローラ１４は、ピンチローラ１５に対向して配置され、一枚ずつ分離された帳票Ｗの表裏面を、ピンチローラ１５と挟持して搬送するものである。なお、ピンチローラ１５には、外部から駆動力は負荷されず、ピンチローラ１５は、搬送される帳票Ｗと摺接することで回転する。また、ピンチローラ１５には、例えばバネなどによって駆動ローラ１４方向に所定の押圧力が負荷され、搬送される帳票Ｗを、駆動ローラ１４とピンチローラ１５との間に所定の圧力で挟持している。また、一対の駆動ローラ１４とピンチローラ１５と、それに隣り合って設置される一対の駆動ローラ１４とピンチローラ１５との間には、搬送ガイド１６が配設され、搬送される帳票Ｗをガイドしている。
【００１８】
振分部１７は、帳票Ｗの搬送路を切り替えるもので、例えば、ソレノイドなどによって作動される。また、ゲート部１８は、搬送される帳票Ｗをスタッカ１９へと導くためのゲートであり、例えば、ソレノイドなどによって作動される。なお、振分部１７およびゲート部１８は、切替誘導部として機能する。
【００１９】
重送検知部２１は、厚さ検知手段として機能し、フィードローラ１２および分離ローラ１３によって装置内部に取込まれた帳票Ｗの厚さを検知するものである。この検知結果に基づいて、制御部３０は、複数の帳票Ｗが重送された搬送異常状態で搬送されているか否かを判定する。重送検知部２１には、例えば、変位センサや、超音波センサなどが用いられる。
【００２０】
読み取り部２２は、帳票Ｗに手書きで記入された文字のイメージデータを入力するもので、例えば、ＣＣＤカメラなどで構成される。この読み取り部２２で入力されたイメージデータは、文字認識部２５で文字認識され、テキストデータへ変換される。ここで、読み取り部２２および文字認識部２５の構成を備えることで、文字読取認識手段として機能する。
【００２１】
印字部２３は、文字認識処理を施した帳票Ｗに、例えば連番などを印字するものである。
【００２２】
リーダライタ２４は、第１の情報交信手段として機能し、後に詳細に構成を説明するが、ＩＣチップ、アンテナ部などで構成され、所定の交信周波数で、帳票Ｗに貼付された非接触ＩＣタグ４０と情報の交信を行うものである。リーダライタ２４は、例えば、文字認識処理に基づく所定の情報を帳票Ｗに貼付された非接触ＩＣタグ４０に書き込むことができる。ここで、非接触ＩＣタグ４０に書き込まれる所定の情報として、例えば、住所、氏名、金融機関名、金融機関コード、金額などの文字認識された情報や、搬送されるべくスタッカ１９の情報、フッタシートとしての情報などの文字認識処理に基づく情報などが挙げられるが、これらに限られるものではなく、必要に応じて適宜に設定することができる。また、リーダライタ２４は、非接触ＩＣタグ４０に記憶されている各種情報を読み取ることもできる。非接触ＩＣタグ４０に記憶されている各種情報として、例えば、各帳票Ｗを個々に認識するためのＩＤ情報などが挙げられるが、これに限られるものではなく、必要に応じて適宜に設定することができる。
【００２３】
また、リーダライタ２４は、帳票Ｗが搬送される方向に対して垂直な方向、いわゆる読み取り部２２におけるイメージスキャンの主走査方向の全域にわたって、帳票Ｗに貼付された非接触ＩＣタグ４０と交信可能に設置されている。また、リーダライタ２４の周囲およびリーダライタ２４と対向する、RFID機能の指向性に影響を及ぼす領域における搬送ガイド１６は、リーダライタ２４と非接触ＩＣタグ４０との交信を妨げたり、交信能力を低下させることがないように、例えば、樹脂などの非金属材料で構成することが好ましい。また、樹脂などに耐磨耗性の高いガラスなどを混在させて構成してもよい。
【００２４】
制御部３０は、演算装置（ＣＰＵ）、読み出し専用メモリ（ＲＯＭ）、ランダムアクセスメモリ（ＲＡＭ）、データ管理メモリから主に構成され、ＣＰＵでは、ＲＯＭやＲＡＭに格納されたプログラムやデータなどを用いて各種の演算処理を実行する。また、データ管理メモリは、文字認識処理されたテキストデータなどの情報や、リーダライタ２４から読み込まれた情報などを記憶するものである。また、制御部３０は、上記したように、帳票読取装置１０を構成する各構成部と情報の通信が可能であり、各構成部の動作などを制御している。また、制御部３０に、モニターなどの表示部やキーボードなどの入力手段などを接続することもできる。
【００２５】
次に、帳票Ｗに貼付された非接触ＩＣタグ４０とリーダライタ２４との交信動作の一例について、図３を参照して説明する。
【００２６】
図３には、リーダライタ２４としての質問器１００と、非接触ＩＣタグ４０としての応答器２００の構成の概要が示されている。
【００２７】
質問器１００は、質問器１００の全体制御を行う主制御部１０１と、制御部３０との情報の入出力を制御するインターフェース部１０２と、応答器２００より受信した情報などを蓄積する読み出しおよび書き込み可能なＲＡＭなどの記憶部１０３と、送信情報をパラレル信号からシリアル信号に変換し、かつ応答器２００からの受信信号をシリアル信号からパラレル信号に変換する信号変換部１０４と、送信信号を伝送用の信号に変調する変調部１０５と、受信信号を復調する復調部１０６と、送信アンテナ１０７と、受信アンテナ１０８とを備えて構成されている。
【００２８】
応答器２００は、この応答器２００の全体制御を行う主制御部２０１と、情報を蓄積するＥＥＰＲＯＭなどの電源バックアップ不要な記憶部２０２と、送信情報をパラレル信号からシリアル信号に変換し、かつ質問器１００からの受信信号をシリアル信号からパラレル信号に変換する信号変換部２０３と、送信信号を伝送用の信号に変調する変調部２０４と、受信信号を復調する復調部２０５と、送信アンテナ２０６と、受信アンテナ２０７とを備えて構成される。
【００２９】
次に、基本的な交信手順の一例について説明する。
質問器１００は、まず応答器２００に対する情報を読み取るための質問信号を発信する。応答器２００は、その質問信号の受信可能な範囲に入ると、これを受信して、記憶部２０２に記憶されている情報を応答信号として発信する。この応答信号を質問器１００が受信し、信号処理を行って制御部３０に出力する。
【００３０】
次に、第１の実施の形態の帳票読取装置１０の動作について、図１および図４を参照して説明する。図４は、帳票読取装置１０の動作の一例を示すフローチャートである。
【００３１】
まず、制御部３０は、フィードローラ１２および分離ローラ１３を駆動させ、ホッパテーブル１１上に積層配置された最上部の帳票Ｗを装置内部に取込む。続いて、重送検知部２１は、搬送される帳票Ｗの厚さを検知し、その情報を制御部３０に出力する。制御部３０では、重送検知部２１からの検知情報に基づいて、予め設定された帳票Ｗの厚さと比較し、複数の帳票Ｗが重なり合った重送状態で搬送されていないかを判定する（ステップＳ３０１）。この判定で、帳票Ｗが重送状態で搬送されていると判定した場合には、制御部３０は、例えば、後の工程の帳票Ｗの分配処理において、所定のスタッカ１９にその帳票Ｗを搬送するように各振分部１７および各ゲート部１８を制御する。
【００３２】
続いて、読み取り部２２は、帳票Ｗに手書きで記入された文字のイメージデータを入力し、そのイメージデータを文字認識部２５に出力する。そして、文字認識部２５は、そのイメージデータに基づいて、文字認識処理を施し、テキストデータへ変換する。このテキストデータは、制御部３０に出力され、制御部３０のデータ管理メモリに記憶される（ステップＳ３０２）。
【００３３】
続いて、制御部３０は、ステップＳ３０２において文字認識された情報のうち、所定の情報をリーダライタ２４を介して、帳票Ｗに貼付された非接触ＩＣタグ４０に送信し、非接触ＩＣタグ４０にその情報を書き込む（ステップＳ３０３）。
【００３４】
ここで、非接触ＩＣタグ４０に、文字認識された情報に基づいて所定の情報が送信される例として、次のような場合が挙げられる。
【００３５】
文字認識された帳票バッチの枚数を、フッターシートとして機能する帳票Ｗに送信する場合が挙げられる。この場合には、フッターシートとして機能する帳票Ｗの非接触ＩＣタグ４０に、帳票バッチにおける総枚数が書き込まれる。これによって、帳票Ｗをバッチ毎に管理する際、そのフッターシートとして機能する帳票Ｗの情報を、ハンディータイプのリーダライタなどで読み取ることで、バッチ毎の情報を容易に得ることができ、管理が簡便化する。また、他の例として、帳票Ｗに記載された金額をバッチ毎に集計するような場合において、合計金額をフッターシートとして機能する帳票Ｗの非接触ＩＣタグ４０に書き込む場合などが挙げられる。
【００３６】
さらに他の例として、帳票Ｗの区分けすべき種類が、区分けされるスタッカ１９の数よりも多い場合に、文字認識された情報に基づいて、帳票Ｗの非接触ＩＣタグ４０に、例えば地域毎、金融機関の支店毎などの区分け情報を書き込む場合が挙げられる。これによって、区分け情報に対応するスタッカ１９がある場合には、その対応するスタッカ１９に帳票Ｗを導き、対応するスタッカ１９がないものは、１つのスタッカ１９に収容し、２回目以降の処理で区分け情報に対応するスタッカ１９に収容する。この場合には、初回の処理で文字認識を行い、それに基づく区分け情報が非接触ＩＣタグ４０に書き込まれているので、２回目以降の処理では、文字認識処理を行わずに、非接触ＩＣタグ４０に書き込まれた情報に基づいて、帳票Ｗを所定のスタッカ１９に導くため、区分け処理を早く行うことができる。
【００３７】
また、リーダライタ２４は、上記した情報を送信した非接触ＩＣタグ４０から、例えば、ＩＤなどのその非接触ＩＣタグ４０を特定するための非接触ＩＣタグ特定情報などを読み出し、その非接触ＩＣタグ特定情報や帳票特定情報を制御部３０に出力してもよい（ステップＳ４０３）。そして、制御部３０では、文字認識された情報を非接触ＩＣタグ特定情報に関連付けて管理してもよい。さらに、上記した区分け情報を、非接触ＩＣタグ特定情報に基づいて管理してもよい。なお、ここでは、個々の帳票Ｗを特定するために非接触ＩＣタグ特定情報を用いる例を示すが、非接触ＩＣタグ４０に記憶された、例えば帳票ＩＤなどの帳票Ｗを特定するための帳票特定情報を、個々の帳票Ｗを特定するための情報として用いてもよい。
【００３８】
ここで、文字認識された情報に基づいて、印字部２３で帳票Ｗに、例えば連番などを印字し、可視的な情報を付加してもよい。
【００３９】
続いて、制御部３０は、文字認識された情報や、リーダライタ２４によって帳票Ｗの非接触ＩＣタグ４０から読み取った情報に基づいて、各搬送される帳票Ｗが所定のスタッカ１９に分配されるように、各振分部１７および各ゲート部１８を制御する（ステップＳ３０４）。
【００４０】
上記した第１の実施の形態の帳票読取装置１０では、読み取り部２２の帳票搬送方向下流側にリーダライタ２４を設置することで、文字認識された情報に基づく情報を帳票Ｗに貼付された非接触ＩＣタグ４０に書き込むことができる。これによって、例えば、帳票Ｗをバッチ毎に管理するような場合に、バッチ毎の情報を容易に得ることができ、さらに管理を簡便化することができる。また、非接触ＩＣタグ４０に情報を書き込むことで、これまでの印字による情報量と比べて、大量の情報を備えることができる。
【００４１】
さらに、帳票Ｗの区分けすべき種類が、区分けされるスタッカ１９の数よりも多い場合に、文字認識された情報に基づいて、帳票Ｗの非接触ＩＣタグ４０に、例えば地域毎、金融機関の支店毎などの区分け情報などをリーダライタ２４によって初回の処理で書き込み、区分けされるスタッカ１９がなく、所定のスタッカ１９に収容された帳票Ｗに対する２回目以降の処理では、文字認識処理を行わずに、非接触ＩＣタグ４０に書き込まれた情報に基づいて、帳票Ｗを所定のスタッカ１９に導くことができるので、区分け処理を早く行うことができる。
【００４２】
（第２の実施の形態）
次に、第２の実施の形態について、図５および６を参照して説明する。
【００４３】
図５は、第２の実施の形態の帳票読取装置５０の構成を概要を示す図である。なお、第１の実施の形態の構成と同一部分には同一符号を付して、その説明を簡略または省略する。
【００４４】
図５に示すように、第２の実施の形態の帳票読取装置５０は、第１の実施の形態の帳票読取装置１０における振分部１７および各ゲート部１８の帳票搬送方向下流側に、第３の情報交信手段として機能するリーダライタ５１、５２を配置して構成されている。    
【００４５】
リーダライタ５１、５２は、第１の実施の形態で説明したリーダライタ２４と同様に、ＩＣチップ、アンテナ部などで構成され、所定の交信周波数で、帳票Ｗに貼付された非接触ＩＣタグ４０と情報の交信を行うものである。また、リーダライタ５１、５２は、制御部３０と通信可能に接続されている。さらに、リーダライタ５１は、リーダライタ５１の帳票搬送方向下流側に配設されているゲート部１８と電気的に直接接続され、リーダライタ５１で読み込まれた情報に基づいて、直接ゲート部１８を制御するように構成されてもよい。また、リーダライタ５２は、リーダライタ５２の帳票搬送方向下流側に配設されている振分部１７と電気的に直接接続され、リーダライタ５２で読み込まれた情報に基づいて、直接振分部１７を制御するように構成されてもよい。
【００４６】
次に、第２の実施の形態の帳票読取装置５０の動作について、図５および図６を参照して説明する。
【００４７】
図６は、帳票読取装置５０の動作の一例を示すフローチャートである。
【００４８】
まず、制御部３０は、フィードローラ１２および分離ローラ１３を駆動させ、ホッパテーブル１１上に積層配置された最上部の帳票Ｗを装置内部に取込む。続いて、重送検知部２１は、搬送される帳票Ｗの厚さを検知し、その情報を制御部３０に出力する。制御部３０では、重送検知部２１からの検知情報に基づいて、予め設定された帳票Ｗの厚さと比較し、複数の帳票Ｗが重なり合った重送状態で搬送されていないかを判定し、その判定情報を記憶する（ステップＳ４０１）。
【００４９】
続いて、読み取り部２２は、帳票Ｗに手書きで記入された文字のイメージデータを入力し、そのイメージデータを文字認識部２５に出力する。そして、文字認識部２５は、そのイメージデータに基づいて、文字認識処理を施し、テキストデータへ変換する。このテキストデータは、制御部３０に出力され、制御部３０のデータ管理メモリに記憶される（ステップＳ４０２）。
【００５０】
続いて、制御部３０は、ステップＳ４０２において文字認識された情報のうち、所定の情報をリーダライタ２４を介して、帳票Ｗに貼付された非接触ＩＣタグ４０に送信し、非接触ＩＣタグ４０にその情報を書き込む（ステップＳ４０３）。
【００５１】
ここで、非接触ＩＣタグ４０に、文字認識された情報に基づいて所定の情報が送信される例として、次のような場合が挙げられる。
【００５２】
文字認識された帳票Ｗのバッチの枚数を、フッターシートとして機能する帳票Ｗに送信する場合が挙げられる。この場合には、フッターシートとして機能する帳票Ｗの非接触ＩＣタグ４０に、帳票Ｗのバッチにおける総枚数が書き込まれる。これによって、帳票Ｗをバッチ毎に管理する際、そのフッターシートとして機能する帳票Ｗの情報を、ハンディータイプのリーダライタで読み取ることで、バッチ毎の情報を容易に得ることができ、管理が簡便化する。また、他の例として、帳票Ｗに記載された金額をバッチ毎に集計するような場合において、合計金額をフッターシートとして機能する帳票Ｗの非接触ＩＣタグ４０に書き込む場合などが挙げられる。
【００５３】
さらに他の例として、帳票Ｗの区分けすべき種類が、区分けされるスタッカ１９の数よりも多い場合に、例えば文字認識された情報に基づいて、帳票Ｗの非接触ＩＣタグ４０に、例えば地域毎、金融機関の支店毎などの区分け情報を書き込む場合が挙げられる。これによって、区分け情報に対応するスタッカ１９がある場合には、その対応するスタッカ１９に帳票Ｗを導き、対応するスタッカ１９がないものは、１つのスタッカ１９に収容し、２回目以降の処理で区分け情報に対応するスタッカ１９に収容する。この場合には、初回の処理で文字認識を行い、それに基づく区分け情報が非接触ＩＣタグ４０に書き込まれているので、２回目以降の処理では、文字認識処理を行わずに、非接触ＩＣタグ４０に書き込まれた情報に基づいて、帳票Ｗを所定のスタッカ１９に導くため、区分け処理を早く行うことができる。
【００５４】
また、文字認識された情報に基づいて、帳票Ｗに貼付された非接触ＩＣタグ４０送信される所定の情報には、第１の実施の形態で例示した所定の情報に加えて、例えば、帳票Ｗが収容されるべくスタッカ１９に対応する情報などが挙げられる。この帳票Ｗが収容されるべくスタッカ１９に対応する情報には、例えば、収容されるスタッカ１９のゲート部１８の駆動情報や、そのスタッカ１９に導くための振分部１７の駆動情報などが含まれる。    
【００５５】
また、リーダライタ２４は、上記した情報を送信した非接触ＩＣタグ４０から、例えば、ＩＤなどのその非接触ＩＣタグ４０を特定するための非接触ＩＣタグ特定情報などを読み出し、その非接触ＩＣタグ特定情報や帳票特定情報を制御部３０に出力することもできる（ステップＳ４０３）。そして、制御部３０では、文字認識された情報を非接触ＩＣタグ特定情報に関連付けて管理することもできる。なお、ここでは、個々の帳票Ｗを特定するために非接触ＩＣタグ特定情報を用いる例を示すが、非接触ＩＣタグ４０に記憶された、例えば帳票ＩＤなどの帳票Ｗを特定するための帳票特定情報を、個々の帳票Ｗを特定するための情報として用いてもよい。
【００５６】
ここで、文字認識された情報に基づいて、印字部２３で帳票Ｗに、例えば連番などを印字し、可視的な情報を付加してもよい。
【００５７】
次に、ステップＳ４０３以降の処理において、（１）リーダライタ５１、５２が非接触ＩＣタグ４０から読み込んだ情報に基づいて、直接、振分部１７およびゲート部１８を制御する場合、（２）非接触ＩＣタグ４０からリーダライタ５１、５２によって読み込まれた情報に基づいて、制御部３０が振分部１７およびゲート部１８を制御する場合について、それぞれの処理動作を説明する。
【００５８】
（１）リーダライタ５１、５２が非接触ＩＣタグ４０から読み込んだ情報に基づいて、直接、振分部１７およびゲート部１８を制御する場合
この場合には、まず、振分部１７の帳票搬送方向上流側のリーダライタ５２は、帳票Ｗに貼付された非接触ＩＣタグ４０から、例えば収容されるべくスタッカ１９に対応する情報を読み出し、その読み出した情報を振分部１７に出力する。そして、振分部１７を駆動する駆動部は、リーダライタ５２からの情報に基づいて、収容されるべくスタッカ１９に導くように振分部１７を駆動する（ステップＳ４０４）。
【００５９】
続いて、スタッカ１９の帳票搬送方向上流側のリーダライタ５１は、帳票Ｗに貼付された非接触ＩＣタグ４０から収容されるべくスタッカ１９に対応する情報を読み出し、その読み出した情報をゲート部１８に出力する。そして、ゲート部１８を駆動する駆動部は、リーダライタ５１からの情報に基づいて、収容されるべくスタッカ１９のゲート部１８に該当する場合には、スタッカ１９に帳票Ｗを導くようにゲート部を開く。一方、収容されるべくスタッカ１９のゲート部１８に該当しない場合には、ゲート部は閉じられたままである（ステップＳ４０５）。
【００６０】
（２）非接触ＩＣタグ４０からリーダライタ５１、５２によって読み込まれた情報に基づいて、制御部３０が振分部１７およびゲート部１８を制御する場合
この場合には、まず、振分部１７の帳票搬送方向上流側のリーダライタ５２は、帳票Ｗに貼付された非接触ＩＣタグ４０から、例えば非接触ＩＣタグ特定情報を読み出し、その読み出した非接触ＩＣタグ特定情報を制御部３０に出力する。そして、制御部３０は、その非接触ＩＣタグ特定情報およびデータ管理メモリに記憶されている情報に基づいて、帳票Ｗが搬送されるべくスタッカ１９に導くように振分部１７を制御する（ステップＳ４０４）。
【００６１】
続いて、スタッカ１９の帳票搬送方向上流側のリーダライタ５１は、帳票Ｗに貼付された非接触ＩＣタグ４０から非接触ＩＣタグ特定情報を読み出し、その読み出した非接触ＩＣタグ特定情報を制御部３０に出力する。そして、制御部３０は、その非接触ＩＣタグ特定情報およびデータ管理メモリに記憶されている情報に基づいて、帳票Ｗが搬送されるべくスタッカ１９に導くようにゲート部１８を制御する（ステップＳ４０５）。
【００６２】
上記した第２の実施の形態の帳票読取装置５０では、第１の実施の形態の帳票読取装置１０における効果に加え、さらに、各振分部１７、各ゲート部１８の帳票搬送方向上流側にリーダライタ５１、５２を設けることで、帳票Ｗに貼付された非接触ＩＣタグ４０に書き込まれた情報を、それぞれのリーダライタ５１、５２で読み込むことができ、その読み込んだ情報に基づいて各振分部１７、各ゲート部１８を制御することができる。
【００６３】
（第３の実施の形態）
次に、第３の実施の形態について、図７および８を参照して説明する。
【００６４】
図７は、第３の実施の形態の帳票読取装置６０の構成を概要を示す図である。なお、第１の実施の形態の構成と同一部分には同一符号を付して、その説明を簡略または省略する。
【００６５】
図７に示すように、第３の実施の形態の帳票読取装置６０は、第１の実施の形態の帳票読取装置１０におけるフィードローラ１２の帳票搬送方向上流側に、第２の情報交信手段として機能するリーダライタ６１が配置されている。また、フィードローラ１２には、ホッパテーブル１１上に積層配置されている帳票Ｗに対して、分離ローラ１３には、その上方に搬送される帳票Ｗに対して、各ピンチローラ１５には、それに対向して配置されている駆動ローラ１４に対して、押圧力を可変可能に付与する押圧力負荷部６２が配置されている。
【００６６】
リーダライタ６１は、第１の実施の形態で説明したリーダライタ２４と同様に、ＩＣチップ、アンテナ部などで構成され、所定の交信周波数で、帳票Ｗに貼付された非接触ＩＣタグ４０と情報の交信を行うものである。また、リーダライタ６１は、制御部３０と通信可能に接続されている。このリーダライタ６１は、帳票Ｗに貼付された非接触ＩＣタグ４０に書き込まれた情報のうち、少なくとも帳票Ｗの仕様情報を読み込み、制御部３０に出力する。この帳票Ｗの仕様情報として、例えば、帳票Ｗの厚さ、表面摩擦係数、縦横比などが挙げられる。なお、表面摩擦係数は、材質や通紙回数によって定められ、材質によって表面摩擦係数が変わるのは勿論のこと、通紙回数によっても表面摩擦係数が変化し、通紙回数が多いほど表面摩擦係数は小さくなる。また、非接触ＩＣタグ４０に書き込まれる情報には、上記した帳票Ｗの仕様情報以外にも、例えば、帳票ＷのＩＤ情報、非接触ＩＣタグ４０のＩＤ情報、帳票Ｗの記入欄のレイアウト情報などを非接触ＩＣタグ４０に記憶させてもよく、必要に応じて適宜に設定することができる。さらに、リーダライタ６１が非接触ＩＣタグ４０から読み込む情報も、必要に応じて適宜に設定することができる。
【００６７】
押圧力負荷部６２は、制御部３０と通信可能に接続され、制御部３０からの情報に基づいて、負荷する押圧力を可変するもので、例えばソレノイドなどで構成することができる。
【００６８】
次に、第３の実施の形態の帳票読取装置６０の動作について、図７および図８を参照して説明する。図８は、帳票読取装置６０の動作の一例を示すフローチャートである。
【００６９】
まず、制御部３０は、フィードローラ１２および分離ローラ１３を駆動させ、ホッパテーブル１１上に積層配置された最上部の帳票Ｗを装置内部に取込む。続いて、リーダライタ６１は、帳票Ｗに貼付された非接触ＩＣタグ４０から、少なくとも帳票Ｗの厚さ、表面摩擦係数、縦横比の帳票Ｗの仕様情報を読み込み、制御部３０に出力する（ステップＳ５０１）。
【００７０】
制御部３０は、帳票Ｗの仕様情報に基づいて、フィードローラ１２、分離ローラ１３、ピンチローラ１５に備えられた押圧力負荷部６２を、搬送される帳票Ｗを所定の押圧力で押圧するように制御する（ステップＳ５０２）。
【００７１】
さらに、制御部３０は、ステップＳ５０２の押圧力負荷部６２の制御を行うと同時に、帳票Ｗの仕様情報に基づいて、フィードローラ１２、分離ローラ１３、駆動ローラ１４の回転速度を所定の速度に制御する（ステップＳ５０３）。
【００７２】
ここで、ステップＳ５０２およびステップＳ５０３における制御について説明する。
【００７３】
押圧力は、Ａ４帳票（縦２１０ｍｍ×横２９７ｍｍ）、厚さが７０ｋｇ連量、表面摩擦係数がＯＣＲ用紙相当の帳票の押圧力を基準に、読み込まれた帳票Ｗの仕様情報に基づいて制御される。ここで、ｋｇ連量とは、各用紙サイズの全判１０００枚（１連）当たりの重量である。各ローラの回転速度は、読み取り部２２を構成するＣＣＤカメラの１ライン当りの最大のスキャン速度に対応して定められた回転速度を基準に、読み込まれた帳票Ｗの仕様情報に基づいて制御される。
【００７４】
そして、この基準押圧力や基準回転速度に対して、読み込まれた帳票Ｗの仕様情報から押圧力や各ローラの回転速度を制御する例を次に示す。
【００７５】
（Ａ）読み込まれた帳票Ｗの厚さが基準帳票の厚さよりも厚い場合
この場合には、制御部３０は、分離ローラ１３の押圧力を低下させる制御を行う。これによって、帳票Ｗを駆動ローラ１４とピンチローラ１５で挟持して搬送する際、帳票Ｗの後端を分離ローラ１３から抜けやすくし、特に画像伸びに対して画像品質を安定させることができる。
【００７６】
（Ｂ）読み込まれた帳票Ｗの厚さが基準帳票の厚さよりも薄い場合
この場合には、制御部３０は、フィードローラ１２および駆動ローラ１４の回転速度を低下させる制御を行う。これによって、帳票Ｗの破れを防止することができる。
【００７７】
（Ｃ）読み込まれた帳票Ｗの表面摩擦係数が基準帳票の表面摩擦係数よりも大きい場合
この場合には、制御部３０は、フィードローラ１２の押圧力を低下させ、フィードローラ１２の回転速度を低下させる制御を行う。さらに、制御部３０は、分離ローラ１３の押圧力を増加させる制御を行う。フィードローラ１２の押圧力を低下させ、フィードローラ１２の回転速度を低下させ、さらに分離ローラ１３の押圧力を増加させることで、ホッパテーブル１１上に積層配置された帳票Ｗを複数枚一緒に取込むのを防止することができる。
【００７８】
（Ｄ）読み込まれた帳票Ｗの表面摩擦係数が基準帳票の表面摩擦係数よりも小さい場合
この場合には、制御部３０は、ピンチローラ１５の押圧力を低下させる制御を行う。これによって、帳票Ｗのすべりを防止することができる。
【００７９】
（Ｅ）読み込まれた帳票Ｗが横長の場合
この場合には、制御部３０は、フィードローラ１２の回転速度を低下させる制御を行う。これによって、帳票Ｗが斜めに搬送されること（スキュー）を防止することができる。
【００８０】
続いて、重送検知部２１は、搬送される帳票Ｗの厚さを検知し、その情報を制御部３０に出力する。制御部３０は、重送検知部２１からに検知情報に基づいて、ステップＳ５０１で読み込まれた帳票Ｗの厚さと比較し、複数の帳票Ｗが重なり合った重送状態で搬送されていないかを判定する（ステップＳ５０４）。この判定で、帳票Ｗが重送状態で搬送されていると判定した場合には、制御部３０は、例えば、後の工程の帳票Ｗの分配処理において、所定のスタッカ１９にその帳票Ｗを搬送するように各振分部１７および各ゲート部１８を制御する。
【００８１】
ここで、例えば、ドライシーリングはがきを帳票Ｗとして使用し、この帳票Ｗを超音波センサ用いた重送検知部２１で検知する場合、二つ折りに圧着された領域の空気層を検知して、重送状態と検知されることがある。しかしながら、帳票読取装置６０では、読み込まれた帳票Ｗの仕様情報にドライシーリングはがきであることを示す情報を付加することで、制御部３０が、その情報に基づいて、所定の検知範囲で重送状態と判定しないようにすることもできる。
【００８２】
続いて、読み取り部２２は、帳票Ｗに手書きで記入された文字のイメージデータを入力し、そのイメージデータを文字認識部２５に出力する。そして、文字認識部２５は、そのイメージデータに基づいて、文字認識処理を施し、テキストデータへ変換する。このテキストデータは、制御部３０に出力され、制御部３０のデータ管理メモリに記憶される（ステップＳ５０５）。
【００８３】
続いて、制御部３０は、ステップＳ５０５において文字認識された情報のうち、所定の情報をリーダライタ２４を介して、帳票Ｗに貼付された非接触ＩＣタグ４０に送信し、非接触ＩＣタグ４０にその情報を書き込む（ステップＳ５０６）。
【００８４】
なお、非接触ＩＣタグ４０に、文字認識された情報に基づいて、所定の情報が送信される例としては、第１の実施の形態の帳票読取装置１０で例示したものと同じである。
【００８５】
ここで、文字認識された情報に基づいて、印字部２３で帳票Ｗに、例えば連番などを印字し、可視的な情報を付加してもよい。
【００８６】
続いて、制御部３０は、文字認識された情報や、リーダライタ２４によって帳票Ｗの非接触ＩＣタグ４０から読み取った情報に基づいて、各搬送される帳票Ｗが所定のスタッカ１９に分配されるように、各振分部１７および各ゲート部１８を制御する（ステップＳ５０７）。
【００８７】
上記した第３の実施の形態の帳票読取装置６０では、第１の実施の形態の帳票読取装置１０における効果に加え、さらに、リーダライタ６１をフィードローラ１２の帳票搬送方向上流側に設置し、このリーダライタ６１によって、帳票Ｗに貼付された非接触ＩＣタグ４０に書き込まれた帳票Ｗの仕様情報を読み込み、この帳票仕様情報に基づいて、押圧力負荷部６２によって付与される押圧力や各ローラの回転速度を制御することで、多種多様に混在した帳票Ｗの処理を行うことができる。さらに、搬送される帳票Ｗの仕様に基づいて、押圧力負荷部６２によって付与される押圧力や各ローラの回転速度を変えて搬送することができるので、搬送工程における帳票Ｗの損傷を防止し、信頼性のある帳票処理を行うことができる。また、例えば、帳票ＷのＩＤ情報などを印字によらず、非接触ＩＣタグ４０に記憶させ、リーダライタ６１で読み取ることができるので、例えば、帳票Ｗの汚れや折れ曲がりなどによる文字の誤認識などを生じることはない。
【００８８】
なお、第３の実施の形態の帳票読取装置５０として、第１の実施の形態の帳票読取装置１０に、リーダライタ６１および押圧力負荷部６２を付加した構成を示したが、第２の実施の形態の帳票読取装置５０に、これらの機能を付加してもよい。この場合にも、第２の実施の形態の帳票読取装置５０の効果に加え、これらの機能を付加することで得られる第３の実施の形態の帳票読取装置５０の効果と同様の効果を得ることができる。
【図面の簡単な説明】
【００８９】
【図１】第１の実施の形態の帳票読取装置の構成を概要を示す図。
【図２】非接触ＩＣタグが貼付された帳票の正面図。
【図３】リーダライタと非接触ＩＣタグの構成の概要図。
【図４】帳票読取装置の動作の一例を示すフローチャート。
【図５】第２の実施の形態の帳票読取装置の構成を概要を示す図。
【図６】帳票読取装置の動作の一例を示すフローチャート。
【図７】第３の実施の形態の帳票読取装置の構成を概要を示す図。
【図８】帳票読取装置の動作の一例を示すフローチャート。
【符号の説明】
【００９０】
１０…帳票読取装置、１１…ホッパテーブル、１２…フィードローラ、１３…分離ローラ、１４…駆動ローラ、１５…ピンチローラ、１６…搬送ガイド、１７…振分部、１８…ゲート部、１９…スタッカ、２１…重送検知部、２２…読み取り部、２３…印字部、２４…リーダライタ。
【図１】
2006106877.tif 000003
【図２】
2006106877.tif 000004
【図３】
2006106877.tif 000005
【図４】
2006106877.tif 000006
【図５】
2006106877.tif 000007
【図６】
2006106877.tif 000008
【図７】
2006106877.tif 000009
【図８】
2006106877.tif 000010